(57)【特許請求の範囲】
【請求項１】
壁面に固定される壁面側部材と、対象物が取り付けられると共に前記壁面側部材に取り
付けられる対象物側部材とを含み、
前記壁面側部材に設けられた第１の支持部と、
前記壁面側部材に設けられ、前記壁面から離れる方向に突出するように設けられた第２
の支持部と、
前記対象物側部材に設けられ、前記第１の支持部に引掛けられる引掛け部と、
前記対象物側部材に設けられ、前記第２の支持部に当接する当接面を有する当接部と、
前記当接面を前記壁面側へ移動させるように前記当接部を押圧する押圧部とを備え、
前記当接面は、前記壁面に対して傾斜するように形成され、
前記第１の支持部は、前記壁面側部材の上端部側に設けられ、
前記第２の支持部は、前記壁面側部材の下端部側に設けられ、
前記当接面は、鉛直下方に向かうにつれて前記壁面に近づく方向に傾斜するように形成
されている取付装置。
【請求項２】
前記押圧部は、
前記第２の支持部の一端部を中心として回転可能に取り付けられたボルトと、
前記ボルトに締結されるナットとを含み、
前記ナットが前記ボルトに締め付けられることにより、前記当接面を前記壁面側へ移動
させるように前記当接部を押圧する請求項１に記載の取付装置。
【請求項３】
前記第２の支持部のうち前記当接面と接触する面が曲面で形成されている請求項１又は２に記載の取付装置。
【発明の詳細な説明】
【技術分野】
【０００１】
本発明は、取付装置に関し、例えば、壁面に対象物を取り付ける取付装置に関する。
【背景技術】
【０００２】
特許文献１には、取付下金具１４と取付上金具２１とを含む壁掛形室内ユニットの据付装置が開示されている。取付下金具１４は取付上金具２１に、ネジ３０によって取り付けられる。そして、取付下金具１４は、ネジ止めによって壁３５に固定される。また、取付上金具２１は、掛部２２と固定片２８とを備えている。そして、室内ユニット３２の掛穴３３が掛部２２に引掛けられた後、取付上金具２１の固定片２８が、室内ユニット３２が取り付けられた固定片３４に合わせられてネジ３６で止められる。これにより、室内ユニット３２は、取付上金具２１に取り付けられる。この結果、室内ユニット３２は、取付下金具１４と取付上金具２１とを介して、壁３５に固定される。
【先行技術文献】
【特許文献】
【０００３】
【特許文献１】実公昭６２−００２４２１号公報
【発明の概要】
【発明が解決しようとする課題】
【０００４】
特許文献１に示される技術では、掛穴３３に掛部２２を引掛けた後に、固定片２８と固定片３４とがネジ３６によって止められる。ネジ止めされる箇所において固定片２８と固定片３４は互いに略平行に設けられており、且つネジ３６は固定片３４の上にある固定片２８側から取り付けられる。そのため、ネジ３６は、固定片２８及び固定片３４の双方のネジ止めされる箇所を有する面に対して略垂直方向、且つ鉛直下方側に向けて取り付けられる。したがって、ネジ３６が締め付けられると、ネジ止めされる箇所において固定片３４が固定片２８に近づくように移動する。このため、固定片３４に取り付けられた室内ユニット３２は鉛直上方側に移動し、室内ユニット３２の掛穴３３も鉛直上方側に移動する。以上のことから、掛穴３３と掛部２２とにおける引掛りが不安定になり、室内ユニット３２の掛穴３３が取付上金具２１の掛部２２から外れてしまうおそれがあった。
【０００５】
本発明は、上記の課題に鑑みてなされたものであり、その目的は、より安定的に対象物を壁面に固定することができる取付装置を提供することである。
【課題を解決するための手段】
【０００６】
本発明に係る取付装置は、壁面に固定される壁面側部材と、対象物が取り付けられると共に壁面側部材に取り付けられる対象物側部材とを含む取付装置であって、壁面側部材に設けられた第１の支持部と、壁面側部材に設けられ、壁面から離れる方向に突出するように設けられた第２の支持部と、対象物側部材に設けられ、第１の支持部に引掛けられる引掛け部と、対象物側部材に設けられ、第２の支持部に当接する当接面を有する当接部と、当接面を壁面側へ移動させるように当接部を押圧する押圧部とを備え、当接面は、壁面に対して傾斜するように形成されている。
【発明の効果】
【０００７】
本発明の取付装置によれば、より安定に対象物を壁面に固定することができる。
【図面の簡単な説明】
【０００８】
【図１】本発明の第１の実施形態における取付装置に対象物を取り付け、壁面に固定した状態を示す側面図である。
【図２】本発明の第１の実施形態における取付装置の側面図である。
【図３】本発明の第１の実施形態における取付装置に対象物を取り付けた状態の外観斜視図である。
【図４】本発明の第１の実施形態における取付装置に対象物を取り付けた状態の外観斜視図である。
【図５】対象物の外観斜視図である。
【図６】壁面側部材の外観斜視図である。
【図７】壁面側部材の外観斜視図である。
【図８】対象物側部材の外観斜視図である。
【図９】対象物側部材の外観斜視図である。
【図１０】押圧部の外観斜視図である。
【図１１】本発明の第１の実施形態における取付装置の組み立て方法を示す外観斜視図である。
【図１２】本発明の第１の実施形態における取付装置の組み立て方法を示す外観斜視図である。
【図１３】本発明の第１の実施形態における取付装置の組み立て方法を示す外観斜視図である。
【図１４】本発明の第１の実施形態における取付装置の組み立て方法を示す外観斜視図である。
【図１５】本発明の第１の実施形態における取付装置の組み立て方法を示す側面図である。
【図１６】本発明の第１の実施形態における取付装置の組み立て方法を示す側面図である。
【図１７】本発明の第１の実施形態における取付装置の組み立て方法を示す側面図である。
【図１８】本発明の第１の実施形態における取付装置の組み立て方法を示す側面図である。
【図１９】本発明の第１の実施形態における取付装置の組み立て方法を示す側面図である。
【図２０】本発明の第１の実施形態における取付装置の組み立て方法を示す斜視図である。
【発明を実施するための形態】
【０００９】
（第１の実施の形態）
第１の実施形態における取付装置１００について、図に基づき説明する。図１は、対象物５００が取り付けられた取付装置１００を、壁面６００に固定した状態が示される側面図である。図２は、取付装置１００の側面図である。図３及び図４は、取付装置１００に対象物５００を取り付けた状態が示される外観斜視図である。図３は、図１の壁面６００側から見た外観斜視図である。図４は、図１の対象物５００側から見た外観斜視図である。図１〜４には、鉛直方向Gが示されている。
【００１０】
ここで説明の便宜上、取付装置１００の構成を説明する前に、対象物５００と壁面６００について説明する。
【００１１】
まず、対象物５００について説明する。図５は対象物５００の外観斜視図である。対象物５００は、例えば、電子機器等を収容可能な箱である。また、対象物５００は電子機器であっても良い。図１に示されるように、対象物５００は、取付装置１００に取り付けられる。対象物５００は、被取付穴５１０ａ、５１０ｂを備えている。
【００１２】
被取付穴５１０ａ、５１０ｂは、ネジを取り付けることができるネジ穴である。被取付穴５１０ａ、５１０ｂは、対象物５００の一面に形成される。被取付穴５１０ａ、５１０ｂは、これらを区別しない場合において、被取付穴５１０とする。図５において、被取付穴５１０は二つの例を示したが、三つ以上であっても良い。
【００１３】
次に壁面６００について説明する。壁面６００は、例えば建築物の外壁や内壁である。図１に示されるように、壁面６００には、取付装置１００が固定される。
【００１４】
次に、取付装置１００の構成を説明する。図１〜４に示されるように、取付装置１００は、壁面側部材２００と、対象物側部材３００と、押圧部４００とを備えている。
【００１５】
壁面側部材２００について、説明する。図６及び図７は、壁面側部材２００の外観斜視図である。図６は、壁面側部材２００の前面斜視図である。図７は、壁面側部材２００の背面斜視図である。図６及び図７には、鉛直方向Ｇが示されている。図６と図７に示されるように、壁面側部材２００は、壁面側基材部２１０と、第１の支持部２２０ａ、２２０ｂと、第２の支持部２３０ａ、２３０ｂと、突起部２４０ａ、２４０ｂと、壁面側固定用穴２５０ａ、２５０ｂとを含む。壁面側部材２００は、壁面６００に固定される。壁面側部材２００は、例えば、アルミニウムなどの金属材料やＡＢＳ（Ａｃｒｙｌｏｎｉｔｒｉｌｅ  Ｂｕｔａｄｉｅｎｅ  Ｓｔｙｒｅｎｅ）樹脂などの樹脂材料によって形成される。
【００１６】
図６及び図７に示されるように、壁面側基材部２１０は板状に形成されている。また、図１に示されるように、壁面側基材部２１０は、壁面６００に対して略平行に設けられている。壁面側基材部２１０には、第１の支持部２２０ａ、２２０ｂと、第２の支持部２３０ａ、２３０ｂとが接続されている。また、壁面側基材部２１０には、突起部２４０ａ、２４０ｂと、壁面側固定用穴２５０ａ、２５０ｂが形成されている。
【００１７】
図１に示されるように、第１の支持部２２０ａは壁面６００から離れる方向、且つ鉛直方向Ｇの上方側に向けて傾斜するように設けられる。同様に、第１の支持部２２０ｂは、壁面６００から離れる方向、且つ鉛直方向Ｇの上方側に向けて傾斜するように設けられる。第１の支持部２２０ａと第１の支持部２２０ｂとの間には、後述する対象物固定穴３４０ａに挿入されるネジの頭部を収納可能な空隙が形成される。また、図６及び図７に示されるように、第１の支持部２２０ａ、２２０ｂは、壁面側部材２００の上端部側に設けられる。図１に示されるように、第１の支持部２２０ａには、対象物側部材３００が引掛けられる。同様に、第１の支持部２２０ｂには、対象物側部材３００が引掛けられる。第１の支持部２２０ａと第１の支持部２２０ｂとを区別しない場合、第１の支持部２２０ａと第１の支持部２２０ｂとの両方は、第１の支持部２２０とする。
【００１８】
図１に示されるように、第２の支持部２３０ａは、壁面側部材２００の下端部側に設けられ、壁面６００から離れる方向に突出するように設けられる。同様に、第２の支持部２３０ｂは、壁面側部材２００の下端部側に設けられ、壁面６００から離れる方向に突出するように設けられる。また、図６及び図７に示されるように、第２の支持部２３０ａと第２の支持部２３０ｂとの間には、空隙が形成されている。図１及び図２に示されるように第２の支持部２３０ａの先端部は、曲面で形成されている。同様に、第２の支持部２３０ｂの先端部は曲面で形成されている。また、図１に示されるように、第２の支持部２３０ａは、対象物側部材３００と当接する。同様に、第２の支持部２３０ｂは、対象物側部材３００と当接する。第２の支持部２３０ａと第２の支持部２３０ｂとを区別しない場合、第２の支持部２３０ａと第２の支持部２３０ｂとは、第２の支持部２３０とする。
【００１９】
図６及び図７に示されるように、第２の支持部２３０ａ、２３０ｂのそれぞれには、壁面６００に対して略平行にそれぞれを貫通するピン挿入穴２３１ａ、２３１ｂが形成されている。ピン挿入穴２３１ａと２３１ｂとは、同一直線上に設けられる。ピン挿入穴２３１ａ、２３１ｂには、後述するピン４２０が挿入される。
【００２０】
図１、図６及び図７によって示されるように、突起部２４０ａは、壁面側基材部２１０に壁面６００から離れる方向に突出するように形成される。同様に、突起部２４０ｂは、壁面側基材部２１０に壁面６００から離れる方向に突出するように形成される。また、突起部２４０ａ、２４０ｂは、それぞれの間に空隙が形成されるように設けられる。この空隙には、後述する対象物固定穴３５０ｂに挿入されるねじの頭部が収納される。突起部２４０ａと突起部２４０ｂとを区別しない場合、突起部２４０ａと突起部２４０ｂとの両方は、突起部２４０とする。
【００２１】
図６及び図７に示されるように、壁面側固定用穴２５０ａ、２５０ｂは、壁面側基材部２１０を貫通する穴である。壁面側固定用穴２５０ａ、２５０ｂを介して壁面６００にねじを挿入し、ねじ止めすることによって、壁面側部材２００は壁面６００に固定される。
【００２２】
以上、壁面側部材２００について説明した。
【００２３】
次に対象物側部材３００について、図を用いて説明する。図８は、対象物側部材３００の外観斜視図であって、対象物５００側から見た対象物側部材３００を示す図である。図９は、対象物側部材３００の外観斜視図であって、壁面６００側から見た対象物側部材３００を示す図である。図８及び図９には、鉛直方向Ｇが示されている。図１、図８及び図９に示されるように、対象物側部材３００は、対象物側基材部３１０と、引掛け部３２０と、当接部３３０ａ、３３０ｂと、対象物固定穴３４０ａ、３４０ｂを含む。対象物側部材３００には、対象物５００が取り付けられる。また対象物側部材３００は、壁面側部材２００に取り付けられる。対象物側部材３００は、例えば、アルミニウムなどの金属材料やＡＢＳ（Ａｃｒｙｌｏｎｉｔｒｉｌｅ  Ｂｕｔａｄｉｅｎｅ  Ｓｔｙｒｅｎｅ）樹脂などの樹脂材料によって形成される。
【００２４】
図８及び図９に示されるように、対象物側基材部３１０は、板状に形成される。また図８及び図９に示されるように、対象物側基材部３１０には、引掛け部３２０と、当接部３３０ａ、３３０ｂとが接続されている。また、対象物側基材部３１０には、対象物固定穴３４０ａ、３４０ｂが形成される。図１に示されるように、対象物側基材部３１０には、対象物５００が取り付けられる。対象物固定穴３４０ａと対象物固定穴３４０ｂとを区別しない場合、対象物固定穴３４０ａと対象物固定穴３４０ｂは、対象物固定穴３４０とする。
【００２５】
図１に示されるように、引掛け部３２０は、壁面６００に近づく方向、且つ鉛直方向Ｇの下方に向けて傾斜している。また、引掛け部３２０は、対象物側基材部３１０に接続される。図１、図８及び図９に示されるように、引掛け部３２０は、対象物側部材３００の上端部側に設けられる。図１に示されるように、引掛け部３２０は、第１の支持部２２０に引掛けられる。
【００２６】
当接部３３０ａ、３３０ｂは、対象物側部材３００に設けられ、第２の支持部２３０に当接する当接面３３１ａ、３３１ｂを有する。また、当接面３３１ａ、３３１ｂは、鉛直方向Ｇの下方に向かうにつれて壁面６００に近づく方向に傾斜するように形成されている。図８及び図９に示されるように、当接部３３０ａと当接部３３０ｂとの間には、後述する切り欠き部３５０が形成されている。図１に示されるように、当接面３３１ａは、第２の支持部２３０の先端部に当接する。同様に、当接面３３１ｂは、第２の支持部２３０の先端部に当接する。図１に示されるように、第２の支持部２３０のうち当接面３３１ａと接触する面は、曲面で形成されている。同様に、第２の支持部２３０のうち当接面３３１ｂと接触する面は、曲面で形成されている。当接部３３０ａと当接部３３０ｂとを区別しない場合、当接部３３０ａと当接部３３０ｂは、当接部３３０とする。また、当接面３３１ａと当接面３３１ｂとを区別しない場合、当接面３３１ａと当接面３３１ｂは、当接面３３１とする。
【００２７】
図８及び図９に示されるように、対象物固定穴３４０ａ、３４０ｂは、対象物側基材部３１０を貫通するように、対象物側基材部３１０に形成される。対象物固定穴３４０ａ、３４０ｂを介して対象物５００の被取付穴５１０ａ、５１０ｂのそれぞれにねじを挿入し、ねじ止めすることによって、対象物側部材３００は対象物５００に固定される。対象物固定穴３４０ａと対象物固定穴３４０ｂとを区別しない場合、対象物固定穴３４０ａと対象物固定穴３４０ｂは、対象物固定穴３４０とする。
【００２８】
図８及び図９に示されるように、切り欠き部３５０は、対象物側部材３００の下端部側に形成される。切り欠き部３５０の幅は、後述するボルト４１０の径よりも長く設定されている。
【００２９】
次に、押圧部４００について図を用いて説明する。図１０は、押圧部４００の外観斜視図である。図１０に示されるように、押圧部４００は、ボルト４１０と、ピン４２０と、ナット４３０とを備えている。押圧部４００は、当接面３３１ａ、３３１ｂを壁面６００側へ移動させるように当接部３３０を押圧する。具体的には、押圧部４００は、ナット４３０をボルト４１０に締め付けることより、当接面３３１ａ、３３１ｂを壁面６００側へ移動させるように当接部３３０を押圧する。押圧部４００は、例えば、アルミニウムなどの金属材料やＡＢＳ（Ａｃｒｙｌｏｎｉｔｒｉｌｅ  Ｂｕｔａｄｉｅｎｅ  Ｓｔｙｒｅｎｅ）樹脂などの樹脂材料によって形成される。
【００３０】
ボルト４１０は、第２の支持部２３０の一端部を中心として回転可能に取り付けられる。より具体的には、ボルト４１０は、ピン４２０を中心として回転可能に取り付けられる。図１０に示されるように、ボルト４１０は、ボルト４１０の延在方向に対して略垂直にボルト４１０を貫通するボルト穴部４１１を備える。ボルト穴部４１１にはピン４２０が挿入される。
【００３１】
ナット４３０は、ボルト４１０に螺合する。すなわち、ボルト４１０とナット４３０のネジ径及びネジピッチは同一に設定されている。ナット４３０がボルト４１０に締め付けられることにより、当接面３３１ａ、３３１ｂを壁面６００側へ移動させるように当接部３３０を押圧する。
【００３２】
以上、取付装置１００について説明した。
【００３３】
次に、対象物５００を壁面６００に固定する方法について図を用いて説明する。対象物５００を取り付けた取付装置１００を壁面６００に固定する方法は、以下の第１手順と、第２手順と、第３手順と、第４手順とを含む。第１手順、第２手順及び第３手順は、それぞれがどのような順番で実施されてもよい。第４手順は、第１手順、第２手順及び第３手順の後に実施される。
【００３４】
第１手順は、壁面側部材２００にボルト４１０を取り付ける手順である。第２手順は、壁面６００に壁面側部材２００を取り付ける手順である。第３手順は、対象物５００を対象物側部材３００に取り付ける手順である。第４手順は、対象物５００を取り付けた対象物側部材３００を、壁面６００に取り付けられた壁面側部材２００に取り付ける手順である。
【００３５】
第１手順について、図を用いて説明する。図１１は、取付装置１００の組み立て方法を説明するための外観斜視図であって、壁面側部材２００にボルト４１０を取り付ける手順が示される図である。図１１に示されるように、ボルト４１０を、第２の支持部２３０ａと第２の支持部２３０ｂの間に配置する。次に、ボルト４１０のボルト穴部４１１と、ピン挿入穴２３１ａ、２３１ｂとを合わせ、ピン４２０をボルト穴部４１１、ピン挿入穴２３１ａ及び２３１ｂに挿入する。これにより、ボルト４１０は、ピン４２０を中心に回転可能に取り付けられる。すなわち、壁面側部材２００に取り付けられたボルト４１０は、ピン４２０を中心に回転することができる。以上が第１手順の説明である。
【００３６】
第２手順について、図を用いて説明する。図１２は、取付装置１００の組み立て方法を説明するための外観斜視図であって、壁面６００に壁面側部材２００を取り付ける手順を示す図である。図１２に示されるように、ネジ７０１ａ、７０１ｂによって、壁面側固定用穴２５０ａ、２５０ｂを壁面６００にねじ止めする。これによって、壁面側部材２００は、壁面６００に固定される。
【００３７】
第３手順について、図を用いて説明する。図１３は、取付装置１００の組み立て方法を説明するための外観斜視図であって、対象物５００を対象物側部材３００に取り付ける手順を示す図である。図１３に示されるように、ネジ７０２ａ、７０２ｂによって、対象物固定穴３４０ａ、３４０ｂを被取付穴５１０ａ、５１０ｂにねじ止めする。これによって、対象物５００は、対象物側部材３００に取り付けられる。
【００３８】
第４手順について、主に図１４〜図２０を用いて説明する。図１４〜図２０は、取付装置１００の組み立て方法を説明するための図である。具体的には、図１４は、壁面６００に固定された壁面側部材２００と、対象物５００が取り付けられた対象物側部材３００とが示される外観斜視図である。図１５は、引掛け部３２０を第１の支持部２２０に引掛けた後の取付装置１００の側面図である。図１６は、引掛け部３２０を第１の支持部２２０に引掛けた後の取付装置１００の下端部側の側面を拡大した図である。図１７及び図１８は、取付装置１００の下端部側の側面を拡大した図である。なお、図１７には、壁面６００と対象物側部材３００の対象物５００側の面との間の距離Ａと、ピン４２０（ボルト４１０の回転中心軸）と対象物側部材３００の下端部との間の距離ｔ１を示す。また、図１８には、壁面６００と対象物側部材３００の対象物５００側の面との間の距離Ｂと、ピン４２０（ボルト４１０の回転中心軸）と対象物側部材３００の下端部との間の距離ｔ２を示す。図１９は、対象物５００が取り付けられた取付装置１００を、壁面６００に固定した状態が示される側面図である。図２０は、取付装置１００の下端部側を拡大した斜視図である。
【００３９】
まず、図１４に示されるように、壁面６００に取り付けられた壁面側部材２００と、対象物５００が取り付けられた対象物側部材３００とを用意する。
【００４０】
次に、図１５に示されるように、引掛け部３２０を第１の支持部２２０に引掛ける。これにより、対象物側部材３００は、第１の支持部２２０により保持される。引掛け部３２０が第１の支持部２２０に引掛けられた際には、ネジ７０２ａの頭部の一部は、第１の支持部２２０ａと第１の支持部２２０ｂとの間の空隙に収納される。また、引掛け部３２０が第１の支持部２２０に引掛けられた際には、ネジ７０２ｂの頭部は、突起部２４０ａと突起部２４０ｂの間に形成された空隙に収納される。
【００４１】
次に、図１６に示されるようにボルト４１０を、ボルト４１０の先端部が壁面６００から離れるように矢印αの方向に回転させる。そして、図１７に示されるようにボルト４１０を切り欠き部３５０内に、配置する。この状態において、ボルト４１０にナット４３０を取り付ける。
【００４２】
次に、図１８に示されるように、ナット４３０でボルト４１０を締め付ける。これにより、対象物側部材３００の当接部３３０が壁面６００に近づく方向（Ｄ１）に押圧される。この結果、当接面３３１がＤ１の方向へ移動する。
【００４３】
このとき、当接面３３１は、鉛直方向Ｇの下方に向かうにつれて、壁面６００に近づく方向に傾斜するように形成されている。また、第２の支持部２３０の先端部は、当接面３３１に当接している。このため、ナット４３０を更に締め付けることにより、当接部３３０は、当接面３３１に沿って壁面６００に近づく方向（Ｄ２）に移動する。この結果、対象物側部材３００は、鉛直方向Ｇの下方へも移動する。このとき、壁面６００と対象物側部材３００の対象物側の面との間の距離は、ＡからＢへ変化する（ただし、Ａ＞Ｂ）。また、ピン４２０（ボルト４１０の回転中心軸）と対象物側部材３００の下端部との間の距離は、ｔ１からｔ２へ変化する（ただし、ｔ１＜ｔ２）。したがって、対象物側部材３００には、鉛直方向Ｇの下方側の荷重Ｆ（図１８を参照）が加わる。この荷重Ｆは、引掛け部３２０にも加わり、引掛け部３２０の第１の支持部２２０への引掛りを強くする。これにより、対象物側部材３００は、壁面側部材２００に、より強い力で取り付けられる。この結果、図１９及び図２０に示されるように、対象物５００を取り付けた取付装置１００が壁面６００に固定される。
【００４４】
以上が、対象物５００を取り付けた取付装置１００を壁面６００に固定する方法である。
【００４５】
以上のように、本実施形態に記載の取付装置１００は、壁面６００に固定される壁面側部材２００と、対象物５００が取り付けられると共に壁面側部材２００に取り付けられる対象物側部材３００とを含む。また、取付装置１００は、第１の支持部２２０と、第２の支持部２３０と、引掛け部３２０と、当接部３３０と、押圧部４００とを備える。第１の支持部２２０は、壁面側部材２００に設けられる。第２の支持部２３０は、壁面側部材２００に設けられ、壁面６００から離れる方向に突出するように設けられる。引掛け部３２０は、対象物側部材３００に設けられ、第１の支持部２２０に引掛けられる。当接部３３０は、対象物側部材３００に設けられ、第２の支持部２３０に当接する当接面３３１を有する。押圧部４００は、当接面３３１を壁面６００側へ移動させるように当接部３３０を押圧する。当接面３３１は、壁面６００に対して傾斜するように形成されている。
【００４６】
このように、当接面３３１は、壁面６００に対して傾斜するように形成されている。また、当接面３３１は、第２の支持部２３０に当接している。また、押圧部４００は、当接面３３１を壁面６００側へ移動させるように当接部３３０を押圧する。これによって、当接部３３０は、当接面３３１に沿って、壁面６００に近づく方向に移動する。この結果、引掛け部３２０が第１の支持部２２０に押し付けられる方向に荷重が加わる。このため、引掛け部３２０が、第１の支持部２２０に引っ掛る力が強くなり、壁面側部材２００と対象物側部材３００とが強い力で組み合わせられることとなる。すなわち、取付装置１００は、より安定に対象物５００を壁面６００に固定することができる。
【００４７】
また、第１の支持部２２０は、壁面側部材２００の上端部側に設けられている。第２の支持部２３０は、壁面側部材２００の下端部側に設けられている。また、当接面３３１は、鉛直下方に向かうにつれて壁面６００に近づく方向に傾斜するように形成されている。
【００４８】
このように、当接面３３１は、鉛直下方に向かうにつれて壁面６００に近づく方向に傾斜するように形成されている。また、当接面３３１は、第２の支持部２３０に当接している。また、押圧部４００は、当接面３３１を壁面６００側へ移動させるように当接部３３０を押圧する。これによって、当接部３３０は、当接面３３１に沿って、壁面６００に近づく方向に移動する。この結果、対象物側部材３００には、鉛直方向Ｇの下方への荷重Ｆ（図１８を参照）が加わる。この荷重Ｆ（図１８を参照）は、引掛け部３２０にも加わり、引掛け部３２０も鉛直下方向に移動する。このため、引掛け部３２０が、第１の支持部２２０に引っ掛る力が強くなり、壁面側部材２００と対象物側部材３００とがより強い力で組み合わせられることとなる。すなわち、取付装置１００は、より安定に対象物５００を壁面６００に固定することができる。
【００４９】
また、取付装置１００の押圧部４００は、ボルト４１０とナット４３０とを含む。ボルト４１０は、第２の支持部２３０に回転可能に取り付けられる。また、ナット４３０は、ボルト４１０に締結される。さらに、ナット４３０は、ボルト４１０を締め付けることにより、当接面３３１を壁面６００へ移動させるように当接部３３０を押圧する。
【００５０】
このように、ボルト４１０は第２の支持部２３０に、回転可能に取り付けられている。これによって、ボルト４１０を回転させるだけで、ボルト４１０の延在方向を、壁面６００に対して、略垂直方向に関単に設定できる。この状態で、ナット４３０をボルト４１０に締め付けうことにより、当接面３３１を壁面６００に近づける方向に移動させることができる。すなわち、取付装置１００は、簡単に対象物５００を壁面６００に固定することができる。
【００５１】
また、第２の支持部２３０のうち、当接面３３１と接触する面は曲面で形成されている。
【００５２】
このように、第２の支持部２３０のうち、当接面３３１と接触する面は曲面で形成されている。そのため、第２の支持部２３０のうち、当接面３３１と接触する面は平面で形成されているような場合に比べて、第２の支持部２３０と当接面３３１との間に生じる摩擦は極めて小さくなる。そのため、押圧部４００による当接部３３０の押圧が比較的小さい力であっても、当接面３３１を壁面６００へ移動させることができる。すなわち、取付装置１００は、より容易に対象物５００を壁面６００に取り付けることができる。
【００５３】
以上、取付装置１００について説明した。
【００５４】
なお、取付装置１００は、少なくとも第１の支持部２２０と、第２の支持部２３０と、引掛け部３２０と、当接部３３０とを備えていれば良い。
【００５５】
上記実施形態の説明では、取付装置１００は、ネジ７０１ａ、７０１ｂと、壁面側固定用穴２５０ａ、２５０ｂとを含むと説明したが、これらは本発明における必須の要素ではない。すなわち、ネジ７０１ａ、７０１ｂを用いて壁面側部材２００を壁面６００に固定するのに代えて、例えば接着剤や粘着剤等を用いて、壁面側部材２００を壁面６００に固定しても良い。
【００５６】
上記実施形態の説明では、取付装置１００は、ネジ７０２ａ、７０２ｂと、対象物固定穴３４０ａ、３４０ｂとを含むと説明したが、これらは本発明における必須の要素ではない。すなわち、ネジ７０２ａ、７０２ｂを用いて対象物側部材３００を対象物５００に取り付けるのに代えて、例えば、接着剤や粘着剤等を用いて、対象物側部材３００を対象物５００に取り付けても良い。
【００５７】
上記実施形態の説明では、取付装置１００は、壁面側基材部２１０を含むと説明したが、これは、本発明における必須の要素ではない。すなわち、例えば、第１の支持部２２０と第２の支持部２３０とが直接接続されていても良い。
【００５８】
上記実施形態の説明では、取付装置１００は、突起部２４０を含むと説明したが、これは、本発明における必須の要素ではない。すなわち、突起部２４０は設けられなくとも良い。
【００５９】
上記実施形態の説明では、取付装置１００は、対象物側基材部３１０を含むと説明したが、これは、本発明における必須の要素ではない。すなわち、例えば、引掛け部３２０と当接部３３０とが直接接続されても良い。
【００６０】
上記実施形態の説明では、取付装置１００は、切り欠き部３５０を含むと説明したが、これは、本発明における必須の要素ではない。すなわち、上記実施例では、切り欠き部３５０内に、ボルト４１０が配置されているが、押圧部４００が切り欠き部３５０が無くとも当接部３３０を押圧できるような場合は、切り欠き部３５０はなくとも良い。
【００６１】
上記実施形態の説明では、第１の支持部２２０は、壁面６００から離れる方向、且つ鉛直方向Ｇの上方側に向けて傾斜するように設けられると説明したが、これは本発明における必須の要素ではない。すなわち、第１の支持部２２０は壁面側部材２００に設けられてさえいれば良く、壁面６００から離れる方向に傾斜しなくとも良い。また、上記実施形態の説明では、第１の支持部２２０ａ、２２０ｂの間には、空隙が形成されると説明したが、これは本発明における必須の要素ではない。すなわち、第１の支持部２２０ａ、２２０ｂは一体で形成されていても良い。また、上記実施形態の説明では、第１の支持部２２０は、壁面側部材２００の上端部側に設けられると説明したが、これは本発明における必須の要素ではない。すなわち、第１の支持部２２０は、引掛け部３２０の配置場所に対応して設けられていれば、壁面側部材２００の上端部側以外に設けられていても良い。
【００６２】
上記実施形態の説明では、第２の支持部２３０は、壁面側部材２００の下端部側に設けられると説明したが、これは本発明における必須の要素ではない。すなわち、第２の支持部２３０は、押圧部４００の配置場所に対応していれば、壁面側部材２００の下端部以外に設けられていても良い。また、上記実施形態の説明では、第２の支持部２３０ａ、２３０ｂの間には、空隙が形成されると説明したが、これは本発明における必須の要素ではない。すなわち、第２の支持部２３０ａ、２３０ｂは一体で形成されても良い。
【００６３】
上記実施形態の説明では、引掛け部３２０は、壁面６００に近づく方向、且つ鉛直方向Ｇの下方に向けて傾斜していると説明したが、これは本発明における必須の要素ではない。引掛け部３２０は、対象物側部材３００に設けられ、第１の支持部２２０に引掛けることができれば良い。また、上記実施形態の説明では、引掛け部３２０は、対象物側部材３００の上端部側に設けられるとしたが、これは本発明における必須の要素ではない。すなわち、例えば引掛け部３２０は、第１の支持部２２０の配置場所に対応して設けられていれば、対象物側部材３００の上端部側以外に設けられても良い。
【００６４】
上記実施形態の説明では、当接部３３０ａ、３３０ｂは、鉛直方向Ｇの下方に向かうにつれて壁面６００に近づく方向に傾斜するように形成されている当接面３３１を含むと説明したが、これは本発明における必須の要素ではない。すなわち、当接面３３１は、壁面６００に対して傾斜するように形成されていれば良い。例えば、当接面３３１は、鉛直方向Ｇの下方以外（上方や、鉛直方向Ｇに対して略垂直方向）に向かうにつれ、壁面６００に対して傾斜していても良い。
【００６５】
上記実施形態の説明では、取付装置１００の押圧部４００は、ボルト４１０、ピン４２０及びナット４３０を含むと説明したが、これらは、本発明における必須の要素ではない。すなわち、押圧部４００は、当接面３１１を壁面６００側へ移動させるように当接部３３０を押圧することさえできればよいので、ボルト４１０、ピン４２０及びナット４３０を含む構成に限定されない。また、上記実施形態の説明では、押圧部４００は、取付装置１００の下端部に設けられていた。しかし、押圧部４００は、第２の支持部２３０の配置場所に対応して設けられていれば、取付装置１００の下端部以外に設けられていても良い。
【００６６】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【符号の説明】
【００６７】
１００  取付装置
２００  壁面側部材
２１０  壁面側基材部
２２０、２２０ａ、２２０ｂ  第１の支持部
２３０、２３０ａ、２３０ｂ  第２の支持部
２３１、２３１ａ、２３１ｂ  ピン挿入穴
２４０、２４０ａ、２４０ｂ  突起部
２５０、２５０ａ、２５０ｂ  壁面側固定用穴
３００  対象物側部材
３１０  対象物側基材部
３２０  引掛け部
３３０、３３０ａ、３３０ｂ  当接部
３３１、３３１ａ、３３１ｂ  当接面
３４０、３４０ａ、３４０ｂ  対象物固定穴
３５０  切り欠き部
４００  押圧部
４１０  ボルト
４１１  ボルト穴部
４２０  ピン
４３０  ナット
５００  対象物
６００  壁面
７０１ａ、７０１ｂ、７０２ａ、７０２ｂ  ネジ
【図１】
0006790454.tif 000002
【図２】
0006790454.tif 000003
【図３】
0006790454.tif 000004
【図４】
0006790454.tif 000005
【図５】
0006790454.tif 000006
【図６】
0006790454.tif 000007
【図７】
0006790454.tif 000008
【図８】
0006790454.tif 000009
【図９】
0006790454.tif 000010
【図１０】
0006790454.tif 000011
【図１１】
0006790454.tif 000012
【図１２】
0006790454.tif 000013
【図１３】
0006790454.tif 000014
【図１４】
0006790454.tif 000015
【図１５】
0006790454.tif 000016
【図１６】
0006790454.tif 000017
【図１７】
0006790454.tif 000018
【図１８】
0006790454.tif 000019
【図１９】
0006790454.tif 000020
【図２０】
0006790454.tif 000021